(57)【特許請求の範囲】
【請求項１】
気流を流すための管体と、
前記管体内に形成された流体抵抗部と、
を具備し、
前記管内における第１の位置の圧力を取り出すための第１の圧力取出口と、前記管内における第２の位置の圧力を取り出すための第２の圧力取出口とのペアにより構成される圧力取出口が、少なくとも独立して２ペア設けられ、
前記圧力取出口の独立したペア毎に、前記管体に設けられた第１の出口部と第２の出口部とが設けられ、
前記圧力取出口の独立したペア毎に、前記第１の圧力取出口から前記第１の出口部までの流路を形成する第１の連通穴と、前記第２の圧力取出口から前記第２の出口部までの流路を形成する第２の連通穴とが設けられていることを特徴とするフローセンサアダプタ。
【請求項２】
前記流体抵抗部は、前記管体の側壁に沿って少なくとも二ケ所に形成されていることを特徴とする請求項１に記載のフローセンサアダプタ。
【請求項３】
前記流体抵抗部は、前記管体内のガス濃度を測定するための測定窓を備えることを特徴とする請求項１又は請求項２に記載のフローセンサアダプタ。
【請求項４】
前記管体には、管体内のガスを取り出すためのガス取出部を備えることを特徴とする請求項１又は請求項２に記載のフローセンサアダプタ。
【請求項５】
前記ガス取出部に連通する第３の連通穴の端部及び前記第１、第２の圧力取出口に連通する第１、第２の連通穴の端部を一か所に集積してジョイント管を前記管体に平行に形成したコネクタ部を
具備することを特徴とする請求項４に記載のフローセンサアダプタ。
【請求項６】
前記流体抵抗部を前記管体内から見た場合に、前記流体抵抗部は楕円状であることを特徴とする請求項１乃至５のいずれか１項に記載のフローセンサアダプタ。
【請求項７】
外部のチューブと結合するジョイント管と前記第１、第２の連通穴との間に設けられ、前記第１、第２の連通穴を介して到来する気流に含まれる水蒸気による水を貯める貯水部を
具備していることを特徴とする請求項１乃至６のいずれか１項に記載のフローセンサアダプタ。
【請求項８】
前記第１、第２の圧力取出口に連通する第１、第２の連通穴の端部を一か所に集積してジョイント管を前記管体に平行に形成したコネクタ部を
具備することを特徴とする請求項１乃至４のいずれか１項に記載のフローセンサアダプタ。
【請求項９】
前記ガス取出部における前記管体内に突出した先端部から前記管体内壁に沿って長尺に延びると共に、その両端部が前記ガス取出部における前記管体内に突出した先端部と同一形状を有する突条
を具備することを特徴とする請求項４又は請求項５に記載のフローセンサアダプタ。
【発明の詳細な説明】
【技術分野】
【０００１】
この発明は、流体抵抗部の両端に発生する差圧に基づき呼吸流量を検出する際などに用いることができるフローセンサアダプタに関するものである。
【背景技術】
【０００２】
上記のように流体抵抗部の両端に発生する差圧に基づき呼吸流量を検出することは、例えば、図１９には管内に設けられた流体抵抗の前後に生じる差圧により呼吸ガスの流速を呼吸ガスの組成・流速センサにおいて流体抵抗がＣＯ２濃度を測定するために窓を通り気流と直行する平面に対して対称形状でかつ対称位置にあることを特徴とする呼吸ガスの組成・流速センサが特許文献１に記載されている。このタイプの呼吸流量検出においては、加湿器により加湿された吸気ガスや水蒸気の含まれる呼気ガスが計測対象のガスであり、この計測対象ガスの水蒸気が差圧取出ポートなどにおいて結露し、水滴が差圧取出の経路を塞ぐ可能性が問題となる。
【０００３】
上記の問題を解決するものとして、差圧取出口を閉塞する水滴を吹き出すパージ機能を備える測定システムが案出されており、これによれば、差圧取出口が水滴により塞がれて測定に誤差が発生する事態を防止することができる（特許文献２参照）。しかしながら、この測定システムのパージ機能を実現するためには、装置内部にポンプやリザーバなどの構成部品を備える必要があり、構成が大型化すると共にコストが高くなる問題がある。
【０００４】
上記に対し、管内に水溜部を設け、管内に溜った水を水溜部から取り出すようにするフローデバイスが提案されている（特許文献３参照）。このフローデバイスは、フローセル内の対策に留まっており、水滴が差圧取出口を塞ぐ可能性については考慮されていない。
【０００５】
また、従来の装置における差圧取出チューブなどは、オリフィスを形成する管に対してラジアル方向に取り付けられている。このため、チューブが折れることがあり、測定が適正に行われない可能性があった。
【特許文献１】実公昭６３−４０９６７号公報
【特許文献２】米国特許第６６５９９６２号明細書
【特許文献３】米国特許第４９３２２６９号明細書
【発明の開示】
【発明が解決しようとする課題】
【０００６】
本発明は、上記のような従来のフローセンサアダプタにおける問題点を解決せんとしてなされたもので、その目的は、水滴が圧力取出口を塞ぐことを考慮した構成であり、連続測定可能なフローセンサアダプタを提供することである。更に、差圧取出チューブなどが折れ難いため、連続測定可能なフローセンサアダプタを提供することを目的としている。
【課題を解決するための手段】
【０００７】
本発明に係るフローセンサアダプタは、気流を流すための管体と、前記管体内に形成された流体抵抗部と、を具備し、前記管内における第１の位置の圧力を取り出すための第１の圧力取出口と、前記管内における第２の位置の圧力を取り出すための第２の圧力取出口とのペアにより構成される圧力取出口が、少なくとも独立して２ペア設けられ、前記圧力取出口の独立したペア毎に、前記管体に設けられた第１の出口部と第２の出口部とが設けられ、前記圧力取出口の独立したペア毎に、前記第１の圧力取出口から前記第１の出口部までの流路を形成する第１の連通穴と、前記第２の圧力取出口から前記第２の出口部までの流路を形成する第２の連通穴とが設けられていることを特徴とする。
【０００８】
本発明に係るフローセンサアダプタは、前記流体抵抗部は、前記管体の側壁に沿って少なくとも二ケ所に形成されていることを特徴とする。
【０００９】
本発明に係るフローセンサアダプタでは、前記流体抵抗部は、前記管体内のガス濃度を測定するための測定窓を備えることを特徴とする。
【００１０】
本発明に係るフローセンサアダプタでは、前記管体には、管体内のガスを取り出すためのガス取出部を備えることを特徴とする。
【００１１】
本発明に係るフローセンサアダプタは、前記ガス取出部に連通する第３の連通穴の端部及び前記第１、第２の圧力取出口に連通する第１、第２の連通穴の端部を一か所に集積してジョイント管を前記管体に平行に形成したコネクタ部を具備することを特徴とする。
【００１２】
本発明に係るフローセンサアダプタは、前記流体抵抗部を前記管体内から見た場合に、前記流体抵抗部は楕円状であることを特徴とする。
【００１３】
本発明に係るフローセンサアダプタは、外部のチューブと結合するジョイント管と前記第１、第２の連通穴との間に設けられ、前記第１、第２の連通穴を介して到来する気流に含まれる水蒸気による水を貯める貯水部を具備していることを特徴とする。
【００１４】
本発明に係るフローセンサアダプタは、前記第１、第２の圧力取出口に連通する第１、第２の連通穴の端部を一か所に集積してジョイント管を前記管体に平行に形成したコネクタ部を具備することを特徴とする。
【００１６】
本発明に係るフローセンサアダプタは、前記ガス取出部における前記管体内に突出した先端部から前記管体内壁に沿って長尺に延びると共に、その両端部が前記ガス取出部における前記管体内に突出した先端部と同一形状を有する突条とを具備することを特徴とする。
【発明の効果】
【００１７】
本発明に係るフローセンサアダプタは、気流を流すための管体内に流体抵抗部が形成され、この流体抵抗部に、管体内における２位置における圧力を取り出すための圧力取出口が少なくとも２ペア形成されているので、一つのペアにおいて圧力取出口が水滴により塞がれた場合にも、残りの圧力取出口のペアにおいて測定が可能となる効果を奏する。
【００１８】
本発明に係るフローセンサアダプタでは、流体抵抗部は、上記管体の側壁に沿って二ケ所に形成されているので、各流体抵抗部にそれぞれ１ペアの圧力取出口を設けることが可能であり、各ペアの圧力取出口が水滴により塞がれる確率を低減することができる。
【００１９】
本発明に係るフローセンサアダプタでは、流体抵抗部は、流体抵抗部自体に管体内のガス濃度を測定するための測定窓を備えているので、流体抵抗部自体が透明窓部を通過する光線を妨げることがない。
【００２０】
本発明に係るフローセンサアダプタでは、前記管体に、管体内のガスを取り出すためのガス取出部を備えるので、管体内からガスを取り出して測定機器へ導き、濃度などの分析に供することができる。
【００２１】
本発明に係るフローセンサアダプタでは、流体抵抗部は、管体の中央部に設けられ、管体の軸方向に長尺に形成されているので、流体抵抗部に圧力取出口を取り付けて呼吸流量を検出可能である。
【００２２】
本発明に係るフローセンサアダプタは、流体抵抗部を管体内から見た場合に、流体抵抗部は楕円状であるため、管体を前後から見た流体抵抗部の形状が対称であり、圧力取出口を適宜対称に形成し、適正な測定を行うことができる。
【００２３】
本発明に係るフローセンサアダプタは、前記圧力取出口と連通する連通穴と、外部のチューブと結合するジョイント管と、前記ジョイント管と前記連通穴との間に設けられ、前記連通穴を介して到来する気流に含まれる水蒸気による水を貯める貯水部とを具備しているので、呼気などに含まれる水蒸気が水滴となった場合に、ジョイント管と連通穴との間の貯水部に貯めることができ、流路が水滴により塞がれ難くする効果がある。
【００２４】
本発明に係るフローセンサアダプタは、前記圧力取出口に連通する連通穴の端部を一か所に集積してジョイント管を前記管体に平行に形成したコネクタ部を具備するので、ジョイント管に接続するチューブの引き回しを綺麗に行うことができ、チューブが折れるなどの不具合が起こり難くなる効果がある。
【００２５】
本発明に係るフローセンサアダプタは、管体内のガスを取り出すためのガス取出部と、このガス取出部に連通する連通穴の端部及び上記圧力取出口に連通する連通穴の端部を一か所に集積してジョイント管を前記管体に平行に形成したコネクタ部を備えるので、チューブとの接続を一か所にて行うことができ、また、チューブの引き出しを管体に平行とすることができ、チューブ折れを減少させる効果がある。
【００２６】
本発明に係るフローセンサアダプタは、ガスを取り出すためのガス取出部における管体内に突出した先端部から管体内壁に沿って長尺に延びる突条の両端部が、前記ガス取出部における管体内に突出した先端部と同一形状を有するので、ガス取出部における管体内に突出した先端部により管体内の流体の流れが不均衡になることを防止でき、適正な測定を確保することができる。
【発明を実施するための最良の形態】
【００２７】
以下、添付図面を参照して本発明に係るフローセンサアダプタの実施例を説明する。各図において、同一の構成要素には同一の符号を付して重複する説明を省略する。図１に、本発明に係るフローセンサアダプタの第１の実施例の斜視図を示し、図２に平面図を示し、図３と図４に側面図を示す。また、図５（ａ）は図３のＡ−Ａ断面図、図５（ｂ）は図３のＡ１−Ａ１断面図、図６は図３のＢ−Ｂ断面図、図７は図３のＣ−Ｃ断面図を示す。実施例に係るフローセンサアダプタは、管体１１を有する。管体１１は、他より長い中央部１１Ｃの一端に最も大径の大径部１１Ａと、中央部１１Ｃの他端に最も小径の小径部１１Ｂを備える。大径部１１Ａは、被験者の口に近い側とされ、呼気が流れ込む部分である。
【００２８】
中央部１１Ｃの内壁における両側面には同一形状であり、略楕円盤状の固定式流体抵抗部１２、１２が形成されている。各流体抵抗部１２、１２の大径部１１Ａに近い端部には、圧力取出口１３Ａ、１３Ａが形成されると共に、各流体抵抗部１２、１２の小径部１１Ｂに近い端部には、圧力取出口１３Ｂ、１３Ｂが形成されている。圧力取出口１３Ａ、１３Ａは、横方向へ延びると共に、次に９０度上方へ曲がり、管体１１の上面へ連通する連通穴１４Ａ、１４Ａに繋がっている。圧力取出口１３Ｂは、横方向へ延びると共に、次に９０度上方へ曲がり、管体１１の上面へ連通する連通穴１４Ｂ、１４Ｂに繋がっている。
【００２９】
圧力取出口１３Ａ、１３Ｂは、１ペアであって、一つの流体抵抗部１２に１ペア設けられ、合計２ペア設けられている。各流体抵抗部１２、１２に形成された連通穴１４Ａ、１４Ａの端部は、管体１１の上面において略筒状の出口部１５Ａ、１５Ａに囲繞されている。同様に、各流体抵抗部１２、１２に形成された連通穴１４Ｂ、１４Ｂの端部は、管体１１の上面において略筒状の出口部１５Ｂ、１５Ｂに囲繞されている。
【００３０】
出口部１５Ａ、１５Ａは、出口部１５Ａ、１５Ａ自身よりも背高で筒状の貯水部１６の壁１６ａにより囲繞されており、また、出口部１５Ｂ、１５Ｂは、出口部１５Ｂ、１５Ｂ自身よりも背高で筒状の貯水部１７の壁１７ａにより囲繞されている。また、出口部１５Ａ（１５Ｂ）は貯水部１６（１７）の底面よりも高い位置にある。そこで、管体１１内から圧力取出口１３Ａ（１３Ｂ）及び連通穴１４Ａ（１４Ｂ）を介して出口部１５Ａ（１５Ｂ）へ到来した呼気の水蒸気は、結露し水滴となって貯水部１６（１７）の底面に溜る。出口部１５Ａ（１５Ｂ）が高い位置にあるため、多くの水滴が貯水部１６（１７）に貯まらない限りは出口部１５Ａ（１５Ｂ）まで水位が高くなることはなく、貯水部１６（１７）に貯まった水が連通穴１４Ａ（１４Ｂ）へ入り込み難く構成されている。
【００３１】
貯水部１６、１７の上側には、楕円盤状のコネクタ部２１が載置結合される。コネクタ部２１には、貯水部１６、１７に載置された状態において、管体１１に平行に形成されたジョイント管２２、２３が設けられている。
【００３２】
ジョイント管２２の穴は、コネクタ部２１の内部を通り、壁１６ａの内径にほぼ一致する外形を有する嵌合筒部２４により形成される空間２４ａへ抜けている。ジョイント管２３の穴はコネクタ部２１の内部を通り、壁１７ａの内径にほぼ一致する外形を有する嵌合筒部２５により形成される空間２５ａへ抜けている。従って、出口部１５Ａ、１５Ａに到来する呼気は貯水部１６及び空間２４ａからコネクタ部２１内の穴を介してジョイント管２２の穴へ到る。また、出口部１５Ｂ、１５Ｂに到来する呼気は貯水部１７及び空間２５ａからコネクタ部２１内の穴を介してジョイント管２３の穴へ到る。このようにコネクタ部２１は、２ペアの圧力取出口（１３Ａ、１３Ｂ）、（１３Ａ、１３Ｂ）に連通する連通穴の端部を一か所に集積して、ジョイント管２２及びジョイント管２３と結合している。
【００３３】
貯水部１６の壁１６ａと、大径部１１Ａと中央部１１Ｃの結合部分には、管体１１内のガスを取り出すためのガス取出部３１が備えられている。ガス取出部３１は、管体１１の上面に立設する筒部３２を有し、筒部３２には管体１１内へ連通する穴３３が形成されている。
【００３４】
筒部３２の下端部３２ｄは、管体１１内部へ突出している。管体１１内の流路の対称性を保つために、筒部３２の下端部３２ｄから小径部１１Ｂにおける内壁の天井部に到る部分には、突条３４が形成されている。突条３４における小径部１１Ｂ側端部３４ａの周囲は、筒部３２の下端部３２ｄに合わせて半円形の形状を有している。通常は図８で示すようにガス取出部３３が上向きになるようしようされている。しかし、術中などにおいてフローセンサアダプタが動きガス取出部３３が下向きになり管体１１内で結露した水滴が管体内を流れても、突条３４が管体内よりも１段高くなっているため、圧取出部に水滴が入りにくい構造となっている。また図５（ｂ)で示すように突条３４の端部３２ｄと３４ａは尖塔状となっている例を示す。このように端部は水滴がスムーズに流れるように工夫がされている。
【００３５】
管体１１の上面に立設する筒部３２の頭部は、平面形状が円形であり、二ケ所において外側へ突出したストッパ３５、３５を有している。筒部３２に結合されるチューブに接続されているコネクタは、その端部開口部の形状が筒部３２の頭部の形状に一致し、開口部よりチューブ側の内部は円筒状である。このため、チューブに接続されているコネクタの開口部を筒部３２の頭部に位置付け、ストッパ３５、３５に開口部を一致させて筒部３２の頭部をコネクタ内に挿入し、コネクタを回転させることにより、ストッパ３５、３５がコネクタにおける開口部からの抜けを防止する
【００３６】
以上の通り構成されたフローセンサアダプタ１０は、例えば、図８に示されるようにして使用される。小径部１１Ｂには、例えば人工呼吸器に到るチューブ３が接続される。大径部１１Ａには、気管内チューブ２が接続され、被験者１の口から気管へ挿入される。ジョイント管２２にはチューブ４が接続され、ジョイント管２３にはチューブ５が接続される。チューブ４、５は、差圧計を有する呼吸モニタ装置６に接続されている。ガス取出部３１にはチューブ７が接続され、チューブ７は炭酸ガスなどのガス濃度計を備えるサイドストリーム式のガスモニタ装置８に接続されている。
【００３７】
被験者１による呼吸に応じて、フローセンサアダプタ１０内を流れる流体による圧力がチューブ４、５を介して呼吸モニタ装置６の差圧計に到り、差圧計ではチューブ４、５を介して現れる圧力の差から流速を得て、流速に基づきガス流量を算出し、ガス流量が呼吸モニタ装置６にて表示される。一方、チューブ７から得られる気体からガス濃度計により炭酸ガスなどの濃度が検出され、得られたガス濃度がガスモニタ装置８に表示される。
【００３８】
上記の測定の際に、結露した水滴は貯水部１６、１７に溜るので、連通穴１４Ａ、１４Ｂ等が塞がれる可能性を低下させている。また、１ペアの圧力取出口１３Ａ、１３Ｂが塞がれたとしても、残りの１ペアの圧力取出口１３Ａ、１３Ｂが塞がれる可能性が低く、継続的な安定的な測定が可能となる。
【００３９】
しかも、２ペアの圧力取出口（１３Ａ、１３Ｂ）、（１３Ａ、１３Ｂ）が塞がれていないときをＲＥＦとし、図６の右側に示すペアの圧力取出口（１３Ａ、１３Ｂ）のみが塞がれた場合を右穴詰めとして四角点で表し、図６の左側に示すペアの圧力取出口（１３Ａ、１３Ｂ）のみが塞がれた場合を左詰めとして三角点で表し、流量と差圧特性を描くと、図９のようにいずれも殆ど変化がなく、適正な測定を継続できることが分かった。なお、本実施例では、圧力取出口１３Ａ、１３Ｂのペアを一つの流体抵抗部１２に１ペア設けたが、それぞれ２ペア以上設けるようにしても良い。
【００４０】
図１０に、第２の実施例に係るフローセンサアダプタの構成を示す。このフローセンサアダプタ１０Ａは、各流体抵抗部１２、１２の中央部１２Ｃ、１２Ｃに、透明窓部４１、４１が設けられている。即ち、管体１１における側面であって、貯水部１６の壁１６ａと貯水部１７の壁１７ａの間は、幅狭部４２、４２とされており、ここに、管体１１内の炭酸ガスや麻酔ガスなどのガス濃度を測定するための透明窓部４１、４１が設けられている。
【００４１】
貯水部１６の壁１６ａと貯水部１７の壁１７ａの間は、ガス測定センサ５０の橋部５１を位置付ける背部４３となっており、ガス測定センサ５０の橋部５１を背部４３に嵌合したときに、受光素子５２の受光面５２ａと発光素子５３の発光面５３ａが透明窓部４１、４１を介して対向する状態とされている。フローセンサアダプタ１０Ａに対しガス測定センサ５０が結合された状態において、コネクタ部２１の嵌合筒部２４、２５が貯水部１６の壁１６ａと貯水部１７の壁１７ａの上方から嵌合され、ジョイント管２２、２３から差圧を取出し可能である。この第２の実施例に係るフローセンサアダプタ１０Ａにおいては、第１の実施例に係るフローセンサアダプタ１０に備えられていたガス取出部３１は備えられていない。
【００４２】
以上の通り構成されたフローセンサアダプタ１０Ａは、例えば、図１１に示されるようにして使用される。基本的には、図８の測定システムと同様であるが、受光素子５２と発光素子５３とリード線５５（５６）を介してガスモニタ装置８が接続される。リード線５６を介して発光素子５３へ発光指示信号が送られ、受光素子５２から受光信号がリード線５５を介してガスモニタ装置８へ送られる。ガス流量が呼吸モニタ装置６にて表示され、ガスモニタ装置８にはガス濃度が表示される。この構成によれば、チューブによりガスを取り出すことなく、ガス濃度の測定が可能となる。
【００４３】
図１２〜図１６に第３の実施例に係るフローセンサアダプタの構成を示す。図１２に平面図を示し、図１３と図１４に側面図を示す。また、図１５は図１３のＤ−Ｄ断面図、図１６は図１３のＥ−Ｅ断面図を示す。この実施例では、偏平な流体抵抗部６１が管体１１内の中央部に形成されている。流体抵抗部６１の先端部及び後端部はテーパ状に尖って形成され、流体抵抗部６１の先端部には圧力取出口６２ａ、６２ｂ、６２ｃが縦に並ぶように形成され、流体抵抗部６１の後端部にも圧力取出口６３ａ、６３ｂ、６３ｃが縦に並ぶように形成されている。
【００４４】
圧力取出口６２ａ、６２ｂ、６２ｃは横方向へ延びると共に、次に９０度上方へ曲がり、管体１１の上面へ連通する連通穴６４に繋がっている。圧力取出口６３ａ、６３ｂ、６３ｃは横方向へ延びると共に、次に９０度上方へ曲がり、管体１１の上面へ連通する連通穴６５に繋がっている。その他の構成は、第１の実施例と同様である。コネクタ部２１が載置結合された状態は、図１のようになる。このため、結露した水滴は貯水部１６（１７）に溜る。また、貯水部１６（１７）の底面が出口部１５Ａ（１５Ｂ）より低く、水滴が出口部１５Ａ（１５Ｂ）から連通穴６４、（６５）へ入り込み難く構成されている。
【００４５】
しかも、３ペアの圧力取出口（６２ａ、６２ｂ、６２ｃ）、（６３ａ、６３ｂ、６３ｃ）が縦に並んでいるので、連通穴６４、６５に水が入ったとしても、図１５の状態で使用されるときには最も下に位置する圧力取出口６２ｃ、６３ｃから排出され、連通穴６４、６５を塞ぐことがなく、適正な測定を継続可能である。
【００４６】
図１７、図１８に第４の実施例に係るフローセンサアダプタの構成を示す。このフローセンサアダプタの構成は、第１の実施例に係るフローセンサアダプタの構成と基本的に同一である。但し、ガス取出部３１が、貯水部１６を構成する壁１６ａと貯水部１７を構成する壁１７ａに挟まれた位置に形成されている。
【００４７】
コネクタ部７１は、ジョイント管７２、７３、７４を備える。壁１６ａと壁１７ａは、細い楕円形筒状であり、コネクタ部７１に形成されている外筒部７５Ａ、７５Ｃ内に挿入され、筒部３２ａは外筒部７５Ｂに挿入される。壁１６ａ内には、出口部１５Ａ、１５Ａが設けられている。壁１７ａは、出口部１５Ｂ、１５Ｂに対応する二つの穴７６（７６）を備える。
【００４８】
上記二つの穴７６（７６）は、コネクタ部７１の空室７８Ｃに繋がり、空室７８Ｃはジョイント管７３に繋がっている。貯水部１６はコネクタ部７１の空室７８Ａに繋がり、空室７８Ａはジョイント管７３に繋がっている。筒部３２ａはコネクタ部７１の空室７８Ｂに繋がり、空室７８Ｂはジョイント管７４に繋がっている。また、流体抵抗部１２は、透明窓部４１を備えている。
【００４９】
この構成によっても、２ペアの圧力取出口（１３Ａ、１３Ｂ）、（１３Ａ、１３Ｂ）を有する効果を奏すると共に、チューブに接続される３つのジョイント管７２、７３、７４が管体１１に平行に形成され、折れることが少なくなり、安定した測定が可能である。
【００５０】
以上、本発明の好適な実施例について説明したが、本発明は前記実施例に限定されることなく、その他本発明の精神を逸脱しない範囲内において、多くの設計変更が可能である。
【図面の簡単な説明】
【００５１】
【図１】本発明のフローセンサアダプタの第１の実施例を示す斜視図。
【図２】本発明のフローセンサアダプタの第１の実施例に係る平面図及び一部構成の底面図。
【図３】本発明のフローセンサアダプタの第１の実施例に係る側面図。
【図４】本発明のフローセンサアダプタの第１の実施例に係る側面図。
【図５ａ】図３のＡ−Ａ断面図。
【図５ｂ】図３のＡ１−Ａ１断面図。
【図６】図３のＢ−Ｂ断面図。
【図７】図３のＣ−Ｃ断面図。
【図８】本発明のフローセンサアダプタの第１の実施例の使用状態を示すブロック図。
【図９】本発明のフローセンサアダプタの第１の実施例による効果を示すための流量−差圧特性を示す図。
【図１０】本発明のフローセンサアダプタの第２の実施例を示す組立斜視図。
【図１１】本発明のフローセンサアダプタの第２の実施例の使用状態を示すブロック図。
【図１２】本発明のフローセンサアダプタの第３の実施例に係る平面図。
【図１３】本発明のフローセンサアダプタの第３の実施例に係る側面図。
【図１４】本発明のフローセンサアダプタの第３の実施例に係る側面図。
【図１５】図１３のＤ−Ｄ断面図。
【図１６】図１３のＥ−Ｅ断面図。
【図１７】本発明のフローセンサアダプタの第４の実施例を示す一部破断斜視図。
【図１８】図１７のＦ−Ｆ断面図。
【図１９】従来の呼吸ガスの組成・流速センサの一例を示す図。
【符号の説明】
【００５２】
６  呼吸モニタ装置
８  ガスモニタ装置
１０、１０Ａ  フローセンサアダプタ
１１  管体
１１Ａ  大径部
１１Ｂ  小径部
１１Ｃ  中央部
１２  流体抵抗部
１３Ａ、１３Ｂ  圧力取出口
１４Ａ、１４Ｂ  連通穴
１５Ａ、１５Ｂ  出口部
１６、１７  貯水部
２１  コネクタ部
２２、２３  ジョイント管
３１  ガス取出部
３２、３２ａ  筒部
４１  透明窓部
５０  ガス測定センサ
５２  受光素子
５３  発光素子
６１  流体抵抗部
６２ａ〜６２ｃ、６３ａ〜６３ｃ  圧力取出口
６４、６５  連通穴
７１  コネクタ部
７２、７３、７４  ジョイント管
【図１】
0005062490.tif 000002
【図２】
0005062490.tif 000003
【図３】
0005062490.tif 000004
【図４】
0005062490.tif 000005
【図５（ａ）】
0005062490.tif 000006
【図５（ｂ）】
0005062490.tif 000007
【図６】
0005062490.tif 000008
【図７】
0005062490.tif 000009
【図８】
0005062490.tif 000010
【図９】
0005062490.tif 000011
【図１０】
0005062490.tif 000012
【図１１】
0005062490.tif 000013
【図１２】
0005062490.tif 000014
【図１３】
0005062490.tif 000015
【図１４】
0005062490.tif 000016
【図１５】
0005062490.tif 000017
【図１６】
0005062490.tif 000018
【図１７】
0005062490.tif 000019
【図１８】
0005062490.tif 000020
【図１９】
0005062490.tif 000021